(57)【特許請求の範囲】
【請求項１】
第１アンテナおよび第２アンテナを含む複数のアンテナが設けられた第１基板と、
前記複数のアンテナに接続される回路の電源として用いられる、主面を有する電池を備えた通信機器であって、
前記電池は、前記電池の前記主面に対する垂直方向から視て前記第１アンテナと前記第２アンテナとの間に配置され、
前記第１アンテナと前記第２アンテナの一部または全部は、前記電池の前記主面に沿って平行方向に視て前記電池に重なり、
前記第１基板は、第１平坦部および第２平坦部を含む複数の平坦部と、隣接する平坦部間を接続する曲げ部とを有し、
前記第１アンテナは前記第１平坦部に配置されていて、前記第２アンテナは前記第２平坦部に配置されている、
通信機器。
【請求項２】
前記第１基板は、絶縁体層の積層体であり、
前記第１平坦部および前記第２平坦部は前記曲げ部に比べて前記絶縁体層の積層数が多い、
請求項１に記載の通信機器。
【請求項３】
第１アンテナおよび第２アンテナを含む複数のアンテナが設けられた第１基板と、
前記複数のアンテナに接続される回路の電源として用いられる、主面を有する電池を備えた通信機器であって、
前記電池は、前記電池の前記主面に対する垂直方向から視て前記第１アンテナと前記第２アンテナとの間に配置され、
前記第１アンテナと前記第２アンテナの一部または全部は、前記電池の前記主面に沿って平行方向に視て前記電池に重なり、
前記第１基板は、平坦部と当該平坦部から連続する曲げ部とを有し、
前記第１アンテナおよび前記第２アンテナのうち少なくとも一方は前記曲げ部に配置されている、
通信機器。
【請求項４】
前記第１基板は、絶縁体層の積層体であり、
前記平坦部は前記曲げ部に比べて前記絶縁体層の積層数が多い、
請求項３に記載の通信機器。
【請求項５】
前記第１基板に前記電池または当該電池を保持する電池保持部が実装されている、
請求項１から４のいずれかに記載の通信機器。
【請求項６】
前記第１基板とは別の第２基板を備え、当該第２基板に前記電池または当該電池を保持する電池保持部が実装されている、
請求項１から４のいずれかに記載の通信機器。
【請求項７】
第１アンテナおよび第２アンテナを含む複数のアンテナが設けられた第１基板と、
前記複数のアンテナに接続される回路の電源として用いられる、主面を有する電池を備えた通信機器であって、
前記電池は、前記電池の前記主面に対する垂直方向から視て前記第１アンテナと前記第２アンテナとの間に配置され、
前記第１アンテナと前記第２アンテナの一部または全部は、前記電池の前記主面に沿って平行方向に視て前記電池に重なり、
前記第１基板とは別の第２基板を備え、当該第２基板に前記電池または当該電池を保持する電池保持部が実装されていて、
前記第１基板の前記第１アンテナおよび前記第２アンテナの配置面と、前記第２基板の前記電池または前記電池保持部の実装面とは対向している、
通信機器。
【請求項８】
前記第１アンテナの使用周波数帯は前記第２アンテナの使用周波数帯の整数倍の関係にある、
請求項１から７のいずれかに記載の通信機器。
【請求項９】
前記第１アンテナおよび前記第２アンテナは同一周波数帯の無線ＬＡＮ用のアンテナである、請求項１から８のいずれかに記載の通信機器。
【請求項１０】
前記第１アンテナおよび前記第２アンテナの一方または両方は、前記電池から遠ざかる方向を指向する指向性を有する、請求項１から９のいずれかに記載の通信機器。
【発明の詳細な説明】
【技術分野】
【０００１】
本発明は、所定電波の受信や無線通信を行う通信機器に関するものである。
【背景技術】
【０００２】
従来、腕時計や携帯電子機器等において通信機能を有する小型の通信機器においては、電子回路を構成する回路基板、アンテナ、および電源としての電池等が筐体に内蔵されている。【０００３】
例えば、特許文献１には、時刻標準電波を受信するためのアンテナ、受信した時刻標準電波に基づいて各種処理を行う処理回路が形成された回路基板、および電池等が時計ケース内に収められた腕時計が示されている。
【先行技術文献】
【特許文献】
【０００４】
【特許文献１】特開２００８−２０３２４号公報
【発明の概要】
【発明が解決しようとする課題】
【０００５】
ところが、特許文献１に示されるような小型の通信機器においては、筐体内の限られたスペースにアンテナを収める必要上、アンテナと、このアンテナの周囲に配置される回路（周辺回路）との相互干渉が問題となる場合が多い。このような干渉の問題を避けるために、アンテナの周囲に電磁的な大きな空間を設ければ、機器を小型化できない。特に複数のアンテナを配置する場合には、この問題は顕著となる。さらに、複数のアンテナを配置する場合には、アンテナ同士の干渉も問題となる。【０００６】
そこで、本発明の目的は、機器の小型化を阻むこと無く、アンテナと周辺回路との相互干渉やアンテナ同士の干渉が抑制された通信機器を提供することにある。
【課題を解決するための手段】
【０００７】
（１）本発明の通信機器は、第１アンテナおよび第２アンテナを含む複数のアンテナが設けられた第１基板と、複数のアンテナに接続される回路の電源として用いられる、主面を有する電池を備える。【０００８】
前記電池は、その主面に対する垂直方向から視て第１アンテナと第２アンテナとの間に配置され、
第１アンテナと第２アンテナの一部または全部は、電池の主面に沿って平行方向に視て電池に重なる。【０００９】
上記構成により、電池が第１アンテナと第２アンテナとの間を電磁気的に遮蔽することになり、特別な専用の部材を配置することなく、第１アンテナと第２アンテナとの干渉が抑制される。【００１０】
また、複数のアンテナが一つの基板に設けられることで、複数のアンテナを機器内に配置し且つ回路に電気的に接続するための構造が簡素化され、省スペース化できる。【００１１】
また、電池の主面すなわち面積の広い面は、多くの回路パターンが形成された基板や表示パネルに平行配置されることが多いが、このような構造において、第１アンテナおよび第２アンテナは電池を挟む位置すなわち電池の側部両脇に配置されることになる。そのため、第１アンテナおよび第２アンテナは上記回路パターンや表示パネルから離れて、相互干渉が抑制されやすい。このことにより、小型の通信機器を構成しやすくなる。【００１２】
（２）第１基板は、例えば、第１平坦部および第２平坦部を含む複数の平坦部と、隣接する平坦部間を接続する曲げ部とを有し、第１アンテナは第１平坦部に配置されていて、第２アンテナは第２平坦部に配置されている。【００１３】
上記構成により、第１基板を曲げ部で湾曲または屈曲することができ、そのことで、第１アンテナと第２アンテナとを電池を挟む位置関係に配置しやすくなる。また、第１アンテナおよび第２アンテナを、第１基板に形成されている回路パターンから離れた位置に配置しやすくなる。なお、ここで「挟む位置関係」とは、接して挟み込む関係に限らず、第１アンテナおよび第２アンテナが電池に対して電磁気的空間的に離れている関係をも含む。【００１４】
（３）第１基板は、例えば絶縁体層の積層体であり、第１平坦部および第２平坦部は曲げ部に比べて絶縁体層の積層数が多いことが好ましい。この構成により、第１平坦部と第２平坦部との間を曲げやすく、且つ第１アンテナおよび第２アンテナを第１基板の平坦部に容易に設けることができる。【００１５】
（４）第１基板は、例えば平坦部と当該平坦部から連続する曲げ部とを有し、第１アンテナおよび第２アンテナのうち少なくとも一方は曲げ部に配置されていることが好ましい。この構成により、第１アンテナおよび第２アンテナの少なくとも一方は平坦部の面から離れる位置に配置されることになる。そのことで、第１アンテナと第２アンテナとを電池を挟む位置関係に配置しやすくなる。また、第１アンテナおよび第２アンテナを、第１基板に形成されている回路パターンから離れた位置に配置しやすくなる。【００１６】
（５）第１基板は、例えば絶縁体層の積層体であり、平坦部は曲げ部に比べて絶縁体層の積層数が多いことが好ましい。この構成により、平坦部に対して曲げ部を曲げやすく、且つ平坦部の平坦性を容易に保てる。【００１７】
（６）第１基板には、例えば電池または当該電池を保持する電池保持部が実装されていることが好ましい。この構成により、電池を機器内に配置し且つ回路に接続するための構造が簡素化され、省スペース化できる。【００１８】
（７）第１基板とは別の第２基板を備え、当該第２基板に電池または電池保持部が実装されていてもよい。この構成により、電池と第１アンテナおよび第２アンテナとの配置の自由度が高まる。【００１９】
（８）第１基板の第１アンテナおよび第２アンテナの配置面と、第２基板の電池または電池保持部の実装面とは対向していることが好ましい。この構成により、第１基板と第２基板との間隔を狭くでき、通信機器を薄型化できる。【００２０】
（９）第１アンテナの使用周波数帯は、例えば第２アンテナの使用周波数帯の整数倍の関係にある。このことにより、第１アンテナおよび第１アンテナが接続される回路と、第２アンテナおよび第２アンテナが接続される回路との干渉が顕著となるが、その干渉が効果的に抑制される。【００２１】
（１０）第１アンテナおよび第２アンテナは、例えば同一周波数帯の無線ＬＡＮ用のアンテナである。このことにより、第１アンテナおよび第１アンテナが接続される回路と、第２アンテナおよび第２アンテナが接続される回路との干渉が顕著となるが、その干渉が効果的に抑制される。【００２２】
（１１）第１アンテナおよび第２アンテナの一方または両方は、例えば電池から遠ざかる方向を指向する指向性を有する。このことにより、電池による不要な遮蔽や不要な反射の影響を受けにくくなる。また、第２アンテナとの干渉をさらに抑制できる。
【発明の効果】
【００２３】
本発明によれば、アンテナと周辺回路との相互干渉やアンテナ同士の干渉が抑制され、小型の通信機器を構成できる。
【図面の簡単な説明】
【００２４】
【図１】図１（Ａ）は第１の実施形態に係る通信機器１０１のＸ−Ｚ面での断面図であり、図１（Ｂ）は電池と２つのアンテナ１１，１２との平面方向での位置関係を示す図である。
【図２】図２は通信機器１０１のＹ−Ｚ面での断面図であり、電池２０、第１アンテナ１１および第２アンテナ１２の高さ方向の位置関係を示している。
【図３】図３（Ａ）は第１基板１の構成部材の積層前の断面図であり、図３（Ｂ）は積層後の第１基板１の断面図である。図３（Ｃ）は第１基板１に、第１アンテナ１１、第２アンテナ１２およびその他の電子部品３１，３２，３３，３４が表面実装された状態を示す図である。
【図４】図４は第２の実施形態に係る通信機器１０２の断面図である。
【図５】図５（Ａ）は第１基板１の構成部材の積層前の断面図であり、図５（Ｂ）は積層後の第１基板１の断面図である。図５（Ｃ）は第１基板１に、第１アンテナ１１、第２アンテナ１２およびその他の電子部品３２，３３が表面実装された状態を示す図である。図５（Ｄ）は、図５（Ｃ）に示した状態から、曲げ部ＢＰ１，ＢＰ２でそれぞれ約９０度屈曲された状態を示す図である。
【図６】図６は第３の実施形態に係る通信機器１０３の断面図である。
【図７】図７（Ａ）は第１基板１の構成部材の積層前の断面図であり、図７（Ｂ）は積層後の第１基板１の断面図である。図７（Ｃ）は第１基板１に、第１アンテナ１１およびその他の電子部品３１，３２，３３，３４が表面実装された状態を示す図である。
【図８】図８は第４の実施形態に係る通信機器１０４の断面図である。
【図９】図９は第５の実施形態に係る第１アンテナ１１の平面図である。
【図１０】図１０は第１アンテナ１１に接続される回路のブロック図である。
【発明を実施するための形態】
【００２５】
以降、図を参照して幾つかの具体的な例を挙げて、本発明を実施するための複数の形態を示す。各図中には同一箇所に同一符号を付している。要点の説明または理解の容易性を考慮して、便宜上実施形態を分けて示すが、異なる実施形態で示した構成の部分的な置換または組み合わせは可能である。第２の実施形態以降では第１の実施形態と共通の事柄についての記述を省略し、異なる点についてのみ説明する。特に、同様の構成による同様の作用効果については実施形態毎には逐次言及しない。
【００２６】
《第１の実施形態》
図１（Ａ）は第１の実施形態に係る通信機器１０１のＸ−Ｚ面での断面図であり、図１（Ｂ）は電池と２つのアンテナ１１，１２との平面方向での位置関係を示す図である。
【００２７】
通信機器１０１は、第１基板１、第２基板２、表示パネル３、およびそれらを収める枠体４等を備える。第１基板１には、第１アンテナ１１、第２アンテナ１２およびその他の複数の電子部品３１，３２，３３，３４が実装されている。第２基板２には電池保持部２１が実装されていて、その電池保持部２１に電池２０が取り付けられている。この電池２０は、第１アンテナ１１および第２アンテナ１２に接続される回路の電源として用いられる。
【００２８】
第１アンテナ１１および第２アンテナ１２は第１基板１の下面に実装されていて、電池保持部２１は第２基板２の上面に実装されている。すなわち、第１基板１の第１アンテナ１１および第２アンテナ１２の配置面と、第２基板２の電池または電池保持部の実装面とは対向している。
【００２９】
図１（Ｂ）は、第２基板２における電池２０の平面方向の位置（面内位置）を示し、第１アンテナ１１および第２アンテナ１２の位置を併せて示している。この図１（Ｂ）に表れているように、電池２０は主面Ｓ１を有し、この主面Ｓ１に対する垂直方向から視て第１アンテナと第２アンテナとの間に電池２０が配置されている。
【００３０】
図２は通信機器１０１のＹ−Ｚ面での断面図であり、電池２０、第１アンテナ１１および第２アンテナ１２の位置関係を示している。図２において、高さＨ２０は電池２０の主面Ｓ１に沿って平行方向に視た電池２０の高さである。この図２に表れているように、電池２０は、第１アンテナ１１と第２アンテナ１２は、電池２０の主面Ｓ１に沿って平行方向に視て電池２０に重なる。
【００３１】
第１アンテナ１１および第２アンテナ１２の使用周波数帯は様々であるが、例えば、第１アンテナ１１は時刻標準電波を受信するためのアンテナであり、第２アンテナ１２はBluetooth（登録商標）等による近距離無線通信用のアンテナである。また、例えば、第１アンテナ１１および第２アンテナ１２は同一周波数帯の無線ＬＡＮ用のアンテナである。これら複数のアンテナは例えばMIMO（Multi-Input Multi-Output）方式で通信を行うために使用されてもよい。さらに、例えば、第１アンテナ１１および第２アンテナ１２の一方または両方が携帯電話通信用であってもよい。また、第１アンテナ１１および第２アンテナ１２の一方ＧＰＳ用アンテナであってもよい。
【００３２】
いずれの場合も、第１アンテナ１１の使用周波数帯は第２アンテナ１２の使用周波数帯の整数倍の関係にあると、第１アンテナ１１および第１アンテナ１１が接続される回路と、第２アンテナ１２および第２アンテナ１２が接続される回路とは干渉しやすい。
【００３３】
電池２０は、そのほぼ全体が金属板で覆われているので、上記構成により、電池２０が第１アンテナ１１と第２アンテナ１２との間を電磁気的に遮蔽する。そのため、特別な専用の部材を配置することなく、第１アンテナ１１と第２アンテナ１２との干渉が抑制される。
【００３４】
また、上記構成により、第１アンテナ１１および第２アンテナ１２が一つの第１基板１に設けられることで、第１アンテナ１１および第２アンテナ１２を機器内に配置し且つ回路に電気的に接続するための構造が簡素化され、省スペース化できる。
【００３５】
また、電池２０の主面Ｓ１すなわち面積の広い面は、多くの回路パターンが形成された第１基板１、第２基板２および表示パネル３に平行配置され、電池２０を挟む位置、すなわち電池の側部両脇の空間に、第１アンテナ１１および第２アンテナ１２が配置されるので、全体に省スペース化される。また、第１アンテナ１１および第２アンテナ１２は第１基板１や第２基板２に形成されている回路パターン、表示パネル３、表示パネル３に接続されるフレキシブルケーブル等から離れて、相互干渉が抑制される。この点でも、小型の通信機器を構成しやすくなる。
【００３６】
なお、ここで「挟む位置」とは、接して挟み込む関係に限らず、第１アンテナおよび第２アンテナが電池に対して電磁気的空間的に離れている位置関係をも含む。
【００３７】
また、本発明は、第１アンテナ１１、第２アンテナ１２双方のアンテナとして機能する部分全体が重なるものに限定するものではない。アンテナは３つ以上設けられていてもよく、少なくとも２つ（第１アンテナ、第２アンテナ）が電池を挟み込むように配置されていればよい。
【００３８】
本実施形態では、第１アンテナ１１および第２アンテナ１２が実装される第１基板１と、電池が設けられる第２基板とが分離されているので、電池２０と第１アンテナ１１および第２アンテナ１２との配置の自由度が高い。
【００３９】
次に、第１基板１の構成を、図３（Ａ）（Ｂ）（Ｃ）を参照して説明する。
【００４０】
図３（Ａ）は第１基板１の構成部材の積層前の断面図であり、図３（Ｂ）は積層後の第１基板１の断面図である。第１基板１は、絶縁体層１ａ，１ｂ，１ｃの積層体であり、所定箇所に導体パターンが形成されている。絶縁体層１ａ，１ｂ，１ｃはそれぞれ例えば液晶ポリマー（ＬＣＰ）等の熱可塑性樹脂シートであり、導体パターンは、絶縁体層に張り付けられた銅箔等の金属箔をフォトリソグラフィーによってパターニングされたものである。これら絶縁体層１ａ，１ｂ，１ｃが積層され加熱プレスされることで、図３（Ｂ）に示す積層体１ＬＢが構成される。
【００４１】
積層体１ＬＢは、これら熱可塑性樹脂シートがその表面同士で融着したものであるが、各シート間に接着材層を有していてもよい。
【００４２】
図３（Ａ）（Ｂ）（Ｃ）では表れていないが、必要に応じて、積層体１ＬＢ内には層間導体（ビアホール導体）が形成されている。この層間接続導体は熱可塑性樹脂シートに形成したビアホール導体用孔に錫等を主成分とする金属材料を充填したものである。
【００４３】
図３（Ｃ）は第１基板１に、第１アンテナ１１、第２アンテナ１２およびその他の電子部品３１，３２，３３，３４が表面実装された状態を示す。この状態の第１基板１が，図１（Ａ）（Ｂ）に示した枠体４内に組み込まれる。
【００４４】
《第２の実施形態》
第２の実施形態では、アンテナが実装される基板の構造が、第１の実施形態で示したものとは異なる通信機器の例を示す。
【００４５】
図４は第２の実施形態に係る通信機器１０２の断面図である。図１（Ａ）（Ｂ）に示した通信機器１０１とは、第１基板１の形状や、第１アンテナ１１および第２アンテナ１２の実装構造等が異なる。
【００４６】
通信機器１０２は、第１基板１、第２基板２、表示パネル３、およびそれらを収める枠体４等を備える。第１基板１には、第１アンテナ１１、第２アンテナ１２およびその他の複数の電子部品３２，３３が実装されている。第２基板２には電池保持部２１が実装されていて、その電池保持部２１に電池２０が取り付けられている。
【００４７】
第１基板１は、第１平坦部ＦＰ１および第２平坦部ＦＰ２を含む複数の平坦部と、隣接する平坦部間を接続する曲げ部ＢＰ１，ＢＰ２とを有する。第１アンテナ１１は第１平坦部ＦＰ１に配置されていて、第２アンテナ１２は第２平坦部ＦＰ２に配置されている。第１基板１は曲げ部ＢＰ１，ＢＰ２でそれぞれ屈曲されている。電池２０は主面Ｓ１に対する垂直方向から視て第１アンテナ１１と第２アンテナ１２との間に配置されている。また、第１アンテナ１１と第２アンテナ１２とは、電池２０の主面Ｓ１に沿って平行方向に視て電池２０に重なる。
【００４８】
上記構成により、電池２０が第１アンテナ１１と第２アンテナ１２との間を電磁気的に遮蔽する。そのため、特別な専用の部材を配置することなく、第１アンテナ１１と第２アンテナ１２との干渉が抑制される。
【００４９】
また、電池２０の主面Ｓ１すなわち面積の広い面は、多くの回路パターンが形成された第１基板１、第２基板２および表示パネル３に平行配置され、電池２０を挟む位置、すなわち電池の側部両脇の空間に、第１アンテナ１１および第２アンテナ１２が配置されるので、全体に省スペース化される。また、第１アンテナ１１および第２アンテナ１２は第１基板１や第２基板２に形成されている回路パターンや表示パネル３から離れて、相互干渉が抑制される。
【００５０】
図５（Ａ）は第１基板１の構成部材の積層前の断面図であり、図５（Ｂ）は積層後の第１基板１の断面図である。第１基板１は、絶縁体層１ａ，１ｂ，１ｃの積層体であり、所定箇所に導体パターンが形成されている。絶縁体層１ａ，１ｂ，１ｃはそれぞれ例えば液晶ポリマー（ＬＣＰ）等の熱可塑性樹脂シートであり、導体パターンは、絶縁体層に張り付けられた銅箔のパターンニングにより形成されたものである。これら絶縁体層１ａ，１ｂ，１ｃが積層され加熱プレスされることで、図５（Ｂ）に示す積層体１ＬＢが構成される。
【００５１】
図５（Ｃ）は第１基板１に、第１アンテナ１１、第２アンテナ１２およびその他の電子部品３２，３３が表面実装された状態を示す。第１アンテナ１１は第１平坦部ＦＰ１に実装されていて、第２アンテナ１２は第２平坦部ＦＰ２に実装されている。また、その他の電子部品３２，３３は平坦部ＦＰ０に実装されている。この構造により、アンテナおよびその他の部品が実装されている面の平滑性を大きく損ねることがない。
【００５２】
図５（Ｄ）は、図５（Ｃ）に示した状態から、曲げ部ＢＰ１，ＢＰ２でそれぞれ約９０度屈曲された状態を示す。この状態の第１基板１が、図４に示した枠体４内に組み込まれる。
【００５３】
平坦部ＦＰ０，ＦＰ１，ＦＰ２の絶縁体層の積層数は、曲げ部ＢＰ２，ＢＰ２の積層数より多い。この構成により、第１平坦部ＦＰ１と第２平坦部ＦＰ２との間を曲げやすく、且つ第１アンテナ１１および第２アンテナ１２を容易に設けることができる。
【００５４】
また、そのことで、第１アンテナ１１と第２アンテナ１２とを電池２０を挟む位置関係に配置しやすくなる。また、第１アンテナ１１および第２アンテナ１２を、第１基板１に形成されている回路パターンから離れた位置に配置しやすくなる。
【００５５】
《第３の実施形態》
第３の実施形態では、電池およびアンテナが実装される基板の構造が、第１、第２の実施形態で示したものとは異なる通信機器の例を示す。
【００５６】
図６は第３の実施形態に係る通信機器１０３の断面図である。図１（Ａ）（Ｂ）に示した通信機器１０１とは、第１基板１の形状や、第１アンテナ１１および第２アンテナ１２の実装構造等が異なる。
【００５７】
通信機器１０３は、第１基板１、表示パネル３、裏蓋５、およびそれらを収める枠体４等を備える。第１基板１には、第１アンテナ１１およびその他の複数の電子部品３１，３２，３３，３４が実装されている。また、第１基板１には導体パターンによる第２アンテナ１２Ｐが形成されている。また、第１基板１には電池保持部２１が実装されていて、その電池保持部２１に電池２０が取り付けられている。
【００５８】
第１基板１は、第１平坦部ＦＰ１、第２平坦部ＦＰ２、隣接する平坦部間を接続する曲げ部ＢＰ２、平坦部ＦＰ１から連続する曲げ部ＢＰ１を有する。第１アンテナ１１は曲げ部ＢＰ１に配置されていて、第２アンテナ１２は曲げ部ＢＰ２に形成されている。
【００５９】
電池２０は主面Ｓ１に対する垂直方向から視て第１アンテナ１１と第２アンテナ１２との間に配置されている。また、電池２０は、第１アンテナ１１と第２アンテナ１２とは、電池２０の主面Ｓ１に沿って平行方向に視て電池２０に重なる。
【００６０】
図７（Ａ）は第１基板１の構成部材の積層前の断面図であり、図７（Ｂ）は積層後の第１基板１の断面図である。第１基板１は、絶縁体層１ａ，１ｂ，１ｃの積層体であり、所定箇所に導体パターンが形成されている。絶縁体層１ａ，１ｂ，１ｃはそれぞれ例えば液晶ポリマー（ＬＣＰ）等の熱可塑性樹脂シートであり、導体パターンは、絶縁体層に張り付けられた銅箔のパターンニングにより形成されたものである。絶縁体層１ａには導体パターンによる第２アンテナ１２Ｐが形成される。これら絶縁体層１ａ，１ｂ，１ｃが積層され加熱プレスされることで、図７（Ｂ）に示す積層体１ＬＢが構成される。
【００６１】
図７（Ｃ）は第１基板１に、第１アンテナ１１およびその他の電子部品３１，３２，３３，３４が表面実装された状態を示す。第１アンテナ１１は曲げ部ＢＰ１に実装されている。また、電子部品３１，３２は平坦部ＦＰ１に実装されていて、電子部品３３，３４は平坦部ＦＰ２に実装されている。
【００６２】
図７（Ｃ）に示した状態から、曲げ部ＢＰ１，ＢＰ２がそれぞれ屈曲され、その状態の第１基板１が、図６に示した枠体４内に組み込まれる。
【００６３】
本実施形態によれば、第２の実施形態と同様の作用効果を奏する。さらに、単一の基板である第１基板１に２つのアンテナ１１，１２Ｐと電池２０とを配置するので、部品点数が削減される。
【００６４】
《第４の実施形態》
第４の実施形態では、複数の電池を備える通信機器の例を示す。
【００６５】
図８は第４の実施形態に係る通信機器１０４の断面図である。図１（Ａ）（Ｂ）に示した通信機器１０１とは、第１基板１の形状、第１アンテナ１１および第２アンテナ１２の実装構造、電池の配置構造等が異なる。
【００６６】
これまでに示した各実施形態とは異なり、第１基板１に二つの電池保持部２１Ａ，２１Ｂが実装されていて、それらに電池２０Ａ，２０Ｂが取り付けられている。また、第１基板１に、それぞれ導体パターンによる第１アンテナ１１Ｐおよび第２アンテナ１２Ｐが形成されている。第１基板１の２つの曲げ部ＢＰ１，ＢＰ２は互いに逆方向に曲げられている。そのため、第１アンテナ１１と第２アンテナ１２との間には第１基板１の一部も介在している。
【００６７】
電池２０Ａ，２０Ｂは主面Ｓ１に対する垂直方向から視て第１アンテナ１１Ｐと第２アンテナ１２Ｐとの間に配置されている。また、第１アンテナ１１Ｐと第２アンテナ１２Ｐとは、電池２０Ａ，２０Ｂの主面Ｓ１に沿って平行方向に視て電池２０Ａ，２０Ｂに重なる。
【００６８】
本実施形態によれば、第２、第３の実施形態と同様の作用効果を奏する。さらに、２つの電池２０Ａ，２０Ｂを備えるので、大きな遮蔽効果が得られる。また、第１アンテナ１１と第２アンテナ１２とは、その間に第１基板１の一部が介在して離間しているので、第１アンテナ１１と第２アンテナ１２との遮蔽効果がさらに高まる。
【００６９】
また、本実施形態によれば、導体パターンで形成された第１アンテナ１１Ｐおよび第２アンテナ１２Ｐを用いているので、これらアンテナを曲げ部に設けても実装不良を起こしにくい。
【００７０】
《第５の実施形態》
第５の実施形態では、指向性の制御が可能なアンテナを備える通信機器の例を示す。
【００７１】
図９は第１アンテナ１１の平面図である。また、図１０は第１アンテナ１１に接続される回路のブロック図である。
【００７２】
図９に表れているように、第１アンテナ１１は、複数のパッチアンテナＰｃ，Ｐｓで構成されている。この第１アンテナ１１は例えば60GHzを用いるWiGig (Wireless Gigabit) 等の短距離高速デジタル無線伝送用の無線通信規格に用いるアンテナである。図１０に示すように、第１アンテナ１１の各パッチアンテナはフェーズシフタ１０に接続されている。このフェーズシフタ１０はビームフォーミング制御回路９によって制御される。通信回路８は送信信号を、フェーズシフタ１０を介して第１アンテナ１１へ出力し、また、フェーズシフタ１０を介して受信信号を入力する。ビームフォーミング制御回路９は通信回路８の通信状態に応じて所定方向へ第１アンテナ１１の指向性ビームを向ける。
【００７３】
他のアンテナおよび電池との関係における第１アンテナ１１の配置は、これまでに示した各実施形態のとおりである。第１アンテナ１１は、例えば電池から遠ざかる方向を指向する。このことにより電池による不要な遮蔽や不要な反射の影響を受けにくくなる。また、第２アンテナとの干渉をさらに抑制できる。
【００７４】
《他の実施形態》
以上に示した各実施形態では、２つのアンテナを備える通信機器を例示したが、３つ以上のアンテナを備えてもよい。
【００７５】
また、電池２０は電池保持部２１を介さず、回路基板に直接的に接続されてもよい。
【００７６】
また、図１（Ｂ）、図２等では、Ｘ軸方向から視て、第１アンテナ１１および第２アンテナ１２の全部が、電池２０の幅方向および高さ（厚み）方向について電池２０に重なる例を示したが、第１アンテナ１１および第２アンテナ１２は、電池２０の主面Ｓ１方向に沿って平行ないずれかの方向から視て、それらの一部が電池２０に重なればよい。
【００７７】
また、図１（Ｂ）等では、円板状の電池２０を備える例を示したが、電池の形状はこれに限らず、直方状等であってもよい。
【００７８】
また、各実施形態では、チップアンテナまたは基板に形成された導体パターンによるアンテナを例示したが、その他の形状や実装構造のアンテナであってもよい。
【００７９】
最後に、上述の実施形態の説明は、すべての点で例示であって、制限的なものではない。当業者にとって変形および変更が適宜可能である。本発明の範囲は、上述の実施形態ではなく、特許請求の範囲によって示される。さらに、本発明の範囲には、特許請求の範囲内と均等の範囲内での実施形態からの変更が含まれる。
【符号の説明】
【００８０】
ＢＰ１，ＢＰ２…曲げ部
ＦＰ０…平坦部
ＦＰ１…第１平坦部
ＦＰ２…第２平坦部
Ｐｃ，Ｐｓ…パッチアンテナ
Ｓ１…主面
１…第１基板
１ａ，１ｂ，１ｃ…絶縁体層
１ＬＢ…積層体
２…第２基板
３…表示パネル
４…枠体
５…裏蓋
８…通信回路
９…ビームフォーミング制御回路
１０…フェーズシフタ
１１，１１Ｐ…第１アンテナ
１２，１２Ｐ…第２アンテナ
２０，２０Ａ，２０Ｂ…電池
２１，２１Ａ，２１Ｂ…電池保持部
３１，３２，３３，３４…電子部品
１０１〜１０４…通信機器
【図１】
0006562182.tif 000002
【図２】
0006562182.tif 000003
【図３】
0006562182.tif 000004
【図４】
0006562182.tif 000005
【図５】
0006562182.tif 000006
【図６】
0006562182.tif 000007
【図７】
0006562182.tif 000008
【図８】
0006562182.tif 000009
【図９】
0006562182.tif 000010
【図１０】
0006562182.tif 000011